(57)【特許請求の範囲】
【請求項１】
密着型画像読取センサと、原稿を密着型画像読取センサに押圧しながら搬送する搬送ローラと、この搬送ローラと同軸に設けられた駆動ギヤに噛合して、搬送ローラを回転駆動する回転力伝達ギヤとを備えた原稿読取装置において、
前記駆動ギヤの支軸と前記回転力伝達ギヤの支軸とをそれぞれギヤ噛合が維持されるように支持アームに設け、かつ前記支持アームを前記回転力伝達ギヤの支軸を中心に回動可能に設け、前記密着型画像読取センサに対して離れる方向および離れた位置から前記密着型画像読取センサ方向へ、前記駆動ギヤにおける前記回転力伝達ギヤとの噛合部分が前記回転力伝達ギヤの歯周部を転動することを可能にし、手動によって前記搬送ローラを上下動することにより、またはモータによって前記回転力伝達ギヤを回転駆動することにより、前記転動を行わせるように構成したことを特徴とする原稿読取装置。
【請求項２】
密着型画像読取センサと、原稿を密着型画像読取センサに押圧しながら搬送する搬送ローラと、この搬送ローラと同軸に設けられた駆動ギヤに噛合して、搬送ローラを回転駆動する回転力伝達ギヤとを備えた原稿読取装置において、
前記駆動ギヤの支軸と前記回転力伝達ギヤの支軸とをそれぞれギヤ噛合が維持されるように支持アームに設け、かつ前記支持アームを前記回転力伝達ギヤの支軸を中心に回動可能に設け、前記密着型画像読取センサに対して離れる方向および離れた位置から前記密着型画像読取センサ方向へ、前記駆動ギヤにおける前記回転力伝達ギヤとの噛合部分が前記回転力伝達ギヤの歯周部を転動することを可能にし、前記密着型画像読取センサと前記搬送ローラとの設置部分を開閉可能に覆うカバー体を備え、このカバー体と前記駆動ギヤの支軸とに連結レバーの端部をそれぞれ回動可能に結合し、前記カバー体の開放動作に伴って前記転動を行わせるように構成したことを特徴とする原稿読取装置。
【請求項３】
密着型画像読取センサと、原稿を密着型画像読取センサに押圧しながら搬送する搬送ローラと、この搬送ローラと同軸に設けられた駆動ギヤに噛合して、搬送ローラを回転駆動する回転力伝達ギヤとを備えた原稿読取装置において、
前記駆動ギヤの支軸と前記回転力伝達ギヤの支軸とをそれぞれギヤ噛合が維持されるように支持アームに設け、かつ前記支持アームを前記回転力伝達ギヤの支軸を中心に回動可能に設け、前記密着型画像読取センサに対して離れる方向および離れた位置から前記密着型画像読取センサ方向へ、前記駆動ギヤにおける前記回転力伝達ギヤとの噛合部分が前記回転力伝達ギヤの歯周部を転動することを可能にし、手動によって前記搬送ローラを上下動することにより、またはモータによって前記回転力伝達ギヤを回転駆動することにより、前記転動を行わせるように構成し、
さらに前記搬送ローラを前記駆動ギヤに対してスラスト方向に移動可能に前記支持アームに設け、前記搬送ローラと前記駆動ギヤとを回転力伝達可能に連結させるように接合しているクラッチと、前記搬送ローラが前記密着型画像読取センサに対して所定の離れた位置に達したときに、前記クラッチの接合を解除して前記搬送ローラと前記駆動ギヤとを離間させるクラッチ解除用リブとを備えたことを特徴とする原稿読取装置。
【請求項４】
密着型画像読取センサと、原稿を密着型画像読取センサに押圧しなが
ら搬送する搬送ローラと、この搬送ローラと同軸に設けられた駆動ギヤに噛合して、搬送ローラを回転駆動する回転力伝達ギヤとを備えた原稿読取装置において、
前記駆動ギヤの支軸と前記回転力伝達ギヤの支軸とをそれぞれギヤ噛合が維持されるように支持アームに設け、かつ前記支持アームを前記回転力伝達ギヤの支軸を中心に回動可能に設け、前記密着型画像読取センサに対して離れる方向および離れた位置から前記密着型画像読取センサ方向へ、前記駆動ギヤにおける前記回転力伝達ギヤとの噛合部分が前記回転力伝達ギヤの歯周部を転動することを可能にし、手動によって前記搬送ローラを上下動することにより、またはモータによって前記回転力伝達ギヤを回転駆動することにより、前記転動を行わせるように構成し、
さらに前記回転力伝達ギヤの前記支軸と前記支持アーム間に、前記回転力伝達ギヤにおける原稿搬送方向への回転時にトルク解除して、かつ前記回転力伝達ギヤにおける原稿搬送方向とは逆回転時に前記支持アームにトルク付加して、前記支持アームを前記支軸を中心として前記密着型画像読取センサに対して離れる方向へ回動させるスプリングクラッチを設けたことを特徴とする原稿読取装置。
【請求項５】
前記支持アームが前記密着型画像読取センサに対して所定の離れた位置に達したときに、前記スプリングクラッチによる前記支持アームに対するトルク付与を解除させることを特徴とする請求項４記載の原稿読取装置。
【発明の詳細な説明】
【０００１】
【発明の属する技術分野】
本発明は、ファクシミリ装置等に適用され、搬送ローラにより原稿を密着型画像読取センサに対して押圧しながら搬送し、原稿情報を読み取る原稿読取装置に関する。
【０００２】
【従来の技術】
図９は従来のファクシミリ装置における原稿読取部の一例を示す構成図であり、１は装置本体、２は装置本体１における上面部分の原稿セット部、３は原稿先端検知センサ、４は原稿先端検知センサ３の原稿搬送方向下流に設置された公知の密着型原稿読取センサ、５は、原稿搬送路に設置された原稿先端検知センサ３および密着型原稿読取センサ４を覆うように、支軸６によって回転可能に支持されたカバー体、７は、密着型原稿読取センサ４に対向設置され、原稿を押圧しながら所定の速度によって搬送し、シェーディング補正のために表面が白色を呈する搬送ローラである。
【０００３】
搬送ローラ７の側部には駆動ギヤ１０が設けられ、この駆動ギヤ１０は、伝達ギヤ１３と噛合し、さらにモータ１１の出力ギヤ１２と中間ギヤ１４を介して連結しており、モータ１１からの回転駆動力を受けて搬送ローラ７とともに回転するようになっている。
【０００４】
そして、原稿セット部２の所定位置に原稿がセットされて、原稿先端検知センサ３によって原稿先端が検知されると、その検知信号を受けてモータ１１が始動し、回転駆動力が出力ギヤ１２，中間ギヤ１４，伝達ギヤ１３，駆動ギヤ１０を介して搬送ローラ７に伝達され、搬送ローラ７を原稿搬送方向（矢印方向）へ回転させる。
【０００５】
原稿読取時において原稿は、搬送ローラ７の回転によって搬送されながら、密着型原稿読取センサ４により画像読取が行われ、搬送方向下流側に排出されることになる。
【０００６】
また、長期間使用していると、原稿搬送による汚れ、および使用環境による塵埃，紙粉等が、密着型原稿読取センサ４や白色の搬送ローラ７の表面に付着し、画像読取が劣化する原因となる。そこで、密着型原稿読取センサ４および搬送ローラ７の清掃が必要となり、その清掃に際しては密着型原稿読取センサ４から搬送ローラ７を離間させるようにしている。
【０００７】
しかし、小型ファクシミリ装置においては、密着型原稿読取センサ４と搬送ローラ７との離間距離は、原稿のジャム発生時に搬送ローラ７の密着型原稿読取センサ４への押圧を解除してジャム紙を除去することができる程度であり、ユーザによる清掃のために十分な間隔であるとはいえない。
【０００８】
そこで、図１０に示すように、カバー体５に搬送ローラ７を設けて、清掃時等に支軸６を中心としてカバー体５を開放方向へ回動させ、密着型原稿読取センサ４の上方を十分に開放させ、密着型原稿読取センサ４と搬送ローラ７とを容易に清掃することができるようにした構成のものがある。
【０００９】
また、特公平７−３６５９１号公報に示された原稿読取装置のように、搬送ローラの軸を保持部材によって回動可能に保持し、搬送ローラを保持した状態で前記保持部材を棚部に移動させることにより、搬送ローラを密着型原稿読取センサから離間させるようにし、前記のような清掃を容易に行えるようにした装置もある。
【００１０】
【発明が解決しようとする課題】
前記従来の原稿読取装置において、図１０および特公平７−３６５９１号公報に示された構成のように、搬送ローラを密着型原稿読取センサから大きく離間させるものは、図１０における伝達ギヤ１３から搬送ローラ７の駆動ギヤ１０が離れることになり、搬送ローラ７を密着型原稿読取センサ４に再びセットするときに、搬送ローラ７の駆動ギヤ１０が伝達ギヤ１３に適正に噛合せず、極端な場合には、セット作業によってギヤの歯欠け、あるいは軸受，支持部分における損傷の発生等の不具合を生じるおそれがある。
【００１１】
そこで、本発明は、搬送ローラを密着型原稿読取センサから離間させても、その離間状態からの再セット、および駆動ギヤと伝達ギヤとの噛合に不具合を生じさせず、しかも清掃作業が容易に行える原稿読取装置を提供することを目的とする。
【００１２】
【課題を解決するための手段】
前記目的を達成するため、本発明は、密着型画像読取センサと、原稿を密着型画像読取センサに押圧しながら搬送する搬送ローラと、この搬送ローラと同軸に設けられた駆動ギヤに噛合して、搬送ローラを回転駆動する回転力伝達ギヤとを備えた原稿読取装置において、前記駆動ギヤの支軸と前記回転力伝達ギヤの支軸とをそれぞれギヤ噛合が維持されるように支持アームに設け、かつ前記支持アームを前記回転力伝達ギヤの支軸を中心に回動可能に設け、前記密着型画像読取センサに対して離れる方向および離れた位置から前記密着型画像読取センサ方向へ、前記駆動ギヤにおける前記回転力伝達ギヤとの噛合部分が前記回転力伝達ギヤの歯周部を転動することを可能にし、手動によって前記搬送ローラを上下動することにより、またはモータによって前記回転力伝達ギヤを回転駆動することにより、前記転動を行わせるように構成したものであって、この構成により、清掃等のために搬送ローラを密着型画像読取センサから離間させるために移動させても、搬送ローラに回転駆動力を伝達するための駆動ギヤと回転力伝達ギヤとは常に噛合状態を維持しているため、従来のように搬送ローラを密着型画像読取センサへ戻す再セットに際して、ギヤ噛合上の不具合を生じることはない。
【００１３】
また、本発明は、密着型画像読取センサと、原稿を密着型画像読取センサに押圧しながら搬送する搬送ローラと、この搬送ローラと同軸に設けられた駆動ギヤに噛合して、搬送ローラを回転駆動する回転力伝達ギヤとを備えた原稿読取装置において、前記駆動ギヤの支軸と前記回転力伝達ギヤの支軸とをそれぞれギヤ噛合が維持されるように支持アームに設け、かつ前記支持アームを前記回転力伝達ギヤの支軸を中心に回動可能に設け、前記密着型画像読取センサに対して離れる方向および離れた位置から前記密着型画像読取センサ方向へ、前記駆動ギヤにおける前記回転力伝達ギヤとの噛合部分が前記回転力伝達ギヤの歯周部を転動することを可能にし、前記密着型画像読取センサと前記搬送ローラとの設置部分を開閉可能に覆うカバー体を備え、このカバー体と前記駆動ギヤの支軸とに連結レバーの端部をそれぞれ回動可能に結合し、前記カバー体の開放動作に伴って前記転動を行わせるように構成したものであって、この構成により、カバー体に連動して、搬送ローラを密着型画像読取センサから離間させること、および清掃等の後にその離間位置から元のセット位置へ復帰させることが行われる。
【００１５】
また、本発明は、密着型画像読取センサと、原稿を密着型画像読取センサに押圧しながら搬送する搬送ローラと、この搬送ローラと同軸に設けられた駆動ギヤに噛合して、搬送ローラを回転駆動する回転力伝達ギヤとを備えた原稿読取装置において、前記駆動ギヤの支軸と前記回転力伝達ギヤの支軸とをそれぞれギヤ噛合が維持されるように支持アームに設け、かつ前記支持アームを前記回転力伝達ギヤの支軸を中心に回動可能に設け、前記密着型画像読取センサに対して離れる方向および離れた位置から前記密着型画像読取センサ方向へ、前記駆動ギヤにおける前記回転力伝達ギヤとの噛合部分が前記回転力伝達ギヤの歯周部を転動することを可能にし、手動によって前記搬送ローラを上下動することにより、またはモータによって前記回転力伝達ギヤを回転駆動することにより、前記転動を行わせるように構成し、さらに前記搬送ローラを前記駆動ギヤに対してスラスト方向に移動可能に前記支持アームに設け、前記搬送ローラと前記駆動ギヤとを回転力伝達可能に連結させるように接合しているクラッチと、前記搬送ローラが前記密着型画像読取センサに対して所定の離れた位置に達したときに、前記クラッチの接合を解除して前記搬送ローラと前記駆動ギヤとを離間させるクラッチ解除用リブとを備えたものであって、この構成により、清掃等に際して搬送ローラと駆動ギヤとの連結を解除することによって、搬送ローラを任意に回転させることができるようになり、搬送ローラ表面の清掃を容易に行うことができる。しかも、清掃等のために搬送ローラを密着型画像読取センサから離間させるために移動させても、搬送ローラに回転駆動力を伝達するための駆動ギヤと回転力伝達ギヤとは噛合状態を維持しているため、従来のように搬送ローラを密着型画像読取センサへ戻す再セットに際して、ギヤ噛合上の不具合を生じることはない。
【００１７】
また、本発明は、密着型画像読取センサと、原稿を密着型画像読取センサに押圧しながら搬送する搬送ローラと、この搬送ローラと同軸に設けられた駆動ギヤに噛合して、搬送ローラを回転駆動する回転力伝達ギヤとを備えた原稿読取装置において、前記駆動ギヤの支軸と前記回転力伝達ギヤの支軸とをそれぞれギヤ噛合が維持されるように支持アームに
設け、かつ前記支持アームを前記回転力伝達ギヤの支軸を中心に回動可能に設け、前記密着型画像読取センサに対して離れる方向および離れた位置から前記密着型画像読取センサ方向へ、前記駆動ギヤにおける前記回転力伝達ギヤとの噛合部分が前記回転力伝達ギヤの歯周部を転動することを可能にし、手動によって前記搬送ローラを上下動することにより、またはモータによって前記回転力伝達ギヤを回転駆動することにより、前記転動を行わせるように構成し、さらに前記回転力伝達ギヤの前記支軸と前記支持アーム間に、前記回転力伝達ギヤにおける原稿搬送方向への回転時にトルク解除して、かつ前記回転力伝達ギヤにおける原稿搬送方向とは逆回転時に前記支持アームにトルク付加して、前記支持アームを前記支軸を中心として前記密着型画像読取センサに対して離れる方向へ回動させるスプリングクラッチを設けたものであって、この構成により、スプリングクラッチは、搬送ローラに対して原稿搬送時には原稿押圧力を一定にするように作用し、さらに原稿搬送方向とは逆回転時に支持アームを密着型画像読取センサに対して離れる方向へ回動するように作用するため、清掃を容易に行うことができる。しかも、清掃等のために搬送ローラを密着型画像読取センサから離間させるために移動させても、搬送ローラに回転駆動力を伝達するための駆動ギヤと回転力伝達ギヤとは噛合状態を維持しているため、従来のように搬送ローラを密着型画像読取センサへ戻す再セットに際して、ギヤ噛合上の不具合を生じることはない。
【００１８】
また、本発明は、前記支持アームが前記密着型画像読取センサに対して所定の離れた位置に達したときに、前記スプリングクラッチによる前記支持アームに対するトルク付与を解除させたものであって、この構成により、所定の位置において搬送ローラが周方向に回転することになり、搬送ローラの表面全周を清掃することが可能になる。
【００１９】
【発明の実施の形態】
以下、本発明の好適な実施の形態を図面に基づいて説明する。なお、図９，図１０において説明した部材に対応する部材には同一符号を付して示し、それらの詳しい説明は省略する。
【００２０】
図１は本発明の第１実施形態を説明するためのファクシミリ装置における原稿読取部の構成図であり、搬送ローラ７の側部に設けられた駆動ギヤ１０の支軸２０と、駆動ギヤ１０に噛合して回転力を伝達する伝達ギヤ（回転力伝達ギヤ）１３の支軸２１とを、それぞれ回転可能にかつ両ギヤ１０，１３の噛合は維持したままで支持アーム２２に設けてある。この両ギヤ１０，１３の支軸２０，２１と支持アーム２２とは、搬送ローラ７の両側に設けられる。
【００２１】
前記構造のため、搬送ローラ７あるいは密着型画像読取センサ４の清掃等のために、図２に示すように、カバー体５を開き、搬送ローラ７を密着型画像読取センサ４から離れるように引き上げると、駆動ギヤ１０が伝達ギヤ１３の周部と噛み合いながら転動（伝達ギヤ１３の支軸２１を中心とした時計方向への回転）し、搬送ローラ７は密着型画像読取センサ４から離間した状態に位置する。この状態において、搬送ローラ７と密着型画像読取センサ４との前方には、十分開いた空間が生成されることになるため、搬送ローラ７と密着型画像読取センサ４とに対する清掃作業を容易に行うことができる。
【００２２】
清掃終了後は、搬送ローラ７を密着型画像読取センサ４方向へ下げると、駆動ギヤ１０は伝達ギヤ１３と噛み合いながら逆方向へ転動（伝達ギヤ１３の支軸２１を中心とした反時計方向への回転）し、密着型画像読取センサ４に対して所定のセット状態にすることができる。
【００２３】
なお、搬送ローラ７の上下動は作業者が行うため、駆動ギヤ１０と伝達ギヤ１３との歯部をフレームによって覆い、作業者の手等が接触しないようにするとよい。
【００２４】
図３は本発明の第２実施形態を説明するためのファクシミリ装置における原稿読取部の構成図であり、モータ１１の駆動回路１５に、モータ１１を正回転（原稿搬送方向への回転）させる正転信号、あるいは逆回転（原稿搬送方向とは反対回転：矢印方向）させる逆転信号とを出力するモータ制御部１６を接続し、例えばモータ制御部１６では逆転操作スイッチ１７が押されると前記逆転信号が出力され、正転操作スイッチ１８が押されると前記正転信号が出力される構成になっている。
【００２５】
したがって、搬送ローラ７あるいは密着型画像読取センサ４の清掃等のために、カバー体５を開き、逆転操作スイッチ１７を押すと、その間、モータ１１が逆回転する。このため出力ギヤ１２と伝達ギヤ１３も逆回転することになり、また伝達ギヤ１３と駆動ギヤ１０が噛合して、しかも両ギヤ１０，１３の支軸２０，２１が支持アーム２２によって回転可能に支持されているため、駆動ギヤ１０は、伝達ギヤ１３の歯部を密着型画像読取センサ４とは離間する方向へ転動し、伝達ギヤ１３に対して適当に設定された停止位置Ｓに止まる。
【００２６】
さらに逆転操作スイッチ１７を押し続けると、伝達ギヤ１３の回転力を受けて駆動ギヤ１０が回転する。このため、搬送ローラ７が回転することになる。このようにすることによって、駆動ギヤ１０の転動角αが小さくても、その転動の停止位置Ｓにおいて搬送ローラ７自体は周方向に回転するため、搬送ローラ７の表面全周を清掃することが可能になる。
【００２７】
清掃終了後は、正転操作スイッチ１８を押すとモータ１１が正回転することになり、前記とは逆に駆動ギヤ１０は、伝達ギヤ１３の歯部を密着型画像読取センサ４方向へ転動し、密着型画像読取センサ４に対して所定のセット位置に移動することになる。
【００２８】
図４は本発明の第３実施形態を説明するためのファクシミリ装置における原稿読取部の構成図、図５は図４の原稿読取部の動作状態を示す構成図であり、この第３実施形態における原稿読取部が第１実施形態における原稿読取部と異なる点は、カバー体５の内壁部に回動可能に一端２５ａが支持された連結レバー２５の他端２５ｂを、搬送ローラ７に設けられた駆動ギヤ１０の支軸２０に回動可能に結合した構造である。
【００２９】
したがって、清掃等の際にカバー体５を開放するために、図５に示すように支軸６を中心に回動させると、連結レバー２５もカバー体５と同方向へ移動し、支軸２０を介して駆動ギヤ１０を引き上げることになる。このため、駆動ギヤ１０は伝達ギヤ１３の周部と噛み合いながら転動（伝達ギヤ１３の支軸２１を中心とした時計方向への回転）する。そして前記と同様に、搬送ローラ７を密着型画像読取センサ４から離間した状態に位置させることができる。この状態では搬送ローラ７と密着型画像読取センサ４との前方に、十分開いた空間が生成されることになるため、搬送ローラ７と密着型画像読取センサ４とに対する清掃作業を容易に行うことができるようになる。
【００３０】
清掃終了後は、カバー体５を閉鎖方向へ回動させれば、連結レバー２５によって搬送ローラ７が押圧されて密着型画像読取センサ４方向へ下がる。この押下によって、駆動ギヤ１０は伝達ギヤ１３と噛み合いながら逆方向へ転動（伝達ギヤ１３の支軸２１を中心とした反時計方向への回転）し、搬送ローラ７が密着型画像読取センサ４に対して所定のセット位置に移動することになる。
【００３１】
図６は本発明の第４実施形態を説明するためのファクシミリ装置における原稿読取部の要部を示す平面図、図７は図６の原稿読取部の動作状態を示す平面図であり、搬送ローラ７の回転軸３０は、搬送ローラ７の駆動ギヤ１０の支軸２０に対して、連結部材としてのクラッチ３１を介して回転力が伝達可能に連結している。すなわち、駆動ギヤ１０の支軸２０と伝達ギヤ１３の支軸２１とを回転可能に支持している支持アーム２２に設けられて、駆動ギヤ１０の支軸２０を保持する一方（図の左側）の軸受３２には、搬送ローラ７の回転軸３０の端部に固定された一方のクラッチ板３１ａと、この一方のクラッチ板３１ａと接離可能であって、駆動ギヤ１０の支軸２０の端部に固定された他方のクラッチ板３１ｂとが設けられている。
【００３２】
さらに搬送ローラ７の回転軸３０は、前記左側の支持アーム２２と軸受３２とともに、一方のクラッチ板３１ａの外周部に対してスラスト方向にスライド可能にしてあり、回転軸３０の右部分に巻回されたスプリング３３により前記両クラッチ板３１ａ，３１ｂが接合する方向に付勢されている。また本体フレーム３４の軸受３２近傍には、伝達ギヤ１３の支軸２１を中心とした円弧を描くように離間部材としてのクラッチ解除用リブ３４ａが設けられ、スプリング３３の付勢力を受けた左側の支持アーム２２と弾接している。
【００３３】
原稿搬送時には、図６に示すように、スプリング３３の付勢力を受けて搬送ローラ７の回転軸３０は、両クラッチ板３１ａ，３１ｂが接合した状態で駆動ギヤ１０の支軸２０に連結している。したがって、伝達ギヤ１３の回転力は駆動ギヤ１０を介して搬送ローラ７に加わり、搬送ローラ７を原稿搬送方向に回転させる。
【００３４】
搬送ローラ７あるいは密着型画像読取センサ４の清掃等のために、前記と同様にして搬送ローラ７を密着型画像読取センサ４から離れるように引き上げると、図２に示すように、駆動ギヤ１０は伝達ギヤ１３の周部と噛み合いながら転動（伝達ギヤ１３の支軸２１を中心とした時計方向へ回転）し、そして搬送ローラ７を密着型画像読取センサ４から離間した状態に位置させることができる。この状態において、搬送ローラ７と密着型画像読取センサ４との前方に、十分開いた空間が生成されることになるため、搬送ローラ７と密着型画像読取センサ４とに対する清掃作業を容易に行うことができる。
【００３５】
さらに前記転動過程において、クラッチ解除用リブ３４ａがその突出量が徐々に大きくなるように形成されていることから、図７に示すように、支持アーム２２を介して左側の支持アーム２２と軸受３２をスプリング３３の付勢力に抗して右方向へ押圧して移動させる。この移動によって、クラッチ板３１ａ，３１ｂが離れ（距離Ｈ）、搬送ローラ７の回転軸３０が自由状態になる。したがって、搬送ローラ７の清掃時に、搬送ローラ７は空転して周方向に自由に回転することができるため、搬送ローラ７の表面全周を清掃することが可能になる。
【００３６】
清掃終了後は、搬送ローラ７を密着型画像読取センサ４方向へ下げれば、駆動ギヤ１０は伝達ギヤ１３と噛み合いながら、既述したと同様に逆方向へ転動し、前記クラッチ解除用リブ３４ａがその突出量が徐々に小さくなって、軸受３２がスプリング３３の付勢力を受けて左方向へ押圧されて移動することになる。この移動によって、クラッチ板３１ａ，３１ｂが接合し、搬送ローラ７を密着型画像読取センサ４に対して図６に示す所定のセット状態に戻すことができる。
【００３７】
図８は本発明の第５実施形態を説明するためのファクシミリ装置における原稿読取部の要部を示す平面図であり、搬送ローラ７は駆動ギヤ１０の支軸２０と同軸で、その両端部を軸受３５を介して支持アーム２２によってそれぞれ保持されている。駆動ギヤ１０に噛合する伝達ギヤ１３の支軸であるシャフト３７は、トルクリミッタであるスプリングクラッチ３８を介して両支持アーム２２に支持されている。すなわち、両支持アーム２２は、伝達ギヤ１３によって回転駆動されるシャフト３７と、左右一対のスプリングクラッチ３８を介して回転駆動が伝達される。両スプリングクラッチ３８は、原稿搬送方向への伝達ギヤ１３の回転時に緩み方向（一定トルク）に設定されている。
【００３８】
したがって、原稿搬送時には、伝達ギヤ１３の回転により支持アーム２２は、密着型原稿読取センサ４に搬送ローラ７を押圧して一定のトルクを加え、搬送ローラ７による原稿搬送を可能にする。このため、搬送ローラ７を密着型原稿搬送センサ４に押圧する板バネ等の押圧手段は必要でなくなる。
【００３９】
また、搬送ローラ７あるいは密着型画像読取センサ４の清掃等を行うときには、前記と同様に伝達ギヤ13を原稿搬送方向の回転とは逆回転させる。すると、スプリングクラッチ38が締まって支持アーム22にトルク付与され、支持アーム22にはシャフト37を介して伝達ギヤ13から回転駆動力が伝達されるため、支持アーム22がシャフト37を中心に密着型画像読取センサ４から離間する方向に回動する。これを受けて駆動ギヤ10が伝達ギヤ13の歯部を転動する。そして、図３に示すように、密着型画像読取センサ４から離間した停止位置Ｓに達したときには、スプリングクラッチ38の延出爪38aが本体側に設けられたストッパ39に当接し、支持アーム22へのトルク付与が解除される。
【００４０】
このため、伝達ギヤ１３の回転力を受けて駆動ギヤ１０は原稿搬送方向とは逆回転する。すなわち、その転動の前記停止位置Ｓにおいて搬送ローラ７自体が周方向に回転するため、搬送ローラ７の表面全周を清掃することが可能になる。
【００４１】
【発明の効果】
以上説明したように、本発明の原稿読取装置によれば、清掃等のために搬送ローラを密着型原稿読取センサから離間させるために移動させても、搬送ローラに回転駆動力を伝達するための駆動ギヤと回転力伝達ギヤとは常に噛合状態を維持しているため、従来のように搬送ローラを密着型画像読取センサへ戻す再セットに際して、ギヤ噛合上の不具合を生じることがなくなり、比較的簡単な構成によって、耐久性の向上とともに信頼性の向上を実現することができる。
【００４２】
また、駆動ギヤの前記転動の後であっても、駆動ギヤを介して搬送ローラをその周方向へ回転させることができるため、容易に搬送ローラの全周面を清掃することができる。
【００４３】
また、清掃等に際して搬送ローラと駆動ギヤとの連結を解除することによって、搬送ローラを任意に回転させることができるようになり、搬送ローラ表面の清掃を容易に行うことができる。しかも、清掃等のために搬送ローラを密着型原稿読取センサから離間させるために移動させても、搬送ローラに回転駆動力を伝達するための駆動ギヤと回転力伝達ギヤとは噛合状態を維持しているため、従来のように搬送ローラを密着型画像読取センサへ戻す再セットに際して、ギヤ噛合上の不具合を生じることがなくなり、比較的簡単な構成によって、耐久性の向上とともに信頼性の向上を実現することができる。
【００４４】
また、スプリングクラッチを用いて、搬送ローラに対して原稿搬送時には原稿押圧力を一定にするように作用し、さらに原稿搬送方向とは逆回転時に支持アームを密着型画像読取センサに対して離れる方向へ回動するように作用するため、清掃を容易に行うことができる。しかも、清掃等のために搬送ローラを密着型画像読取センサから離間させるために移動させても、搬送ローラに回転駆動力を伝達するための駆動ギヤと回転力伝達ギヤとは噛合状態を維持しているため、従来のように搬送ローラを密着型画像読取センサへ戻す再セットに際して、ギヤ噛合上の不具合を生じることがなくなり、比較的簡単な構成によって、耐久性の向上とともに信頼性の向上を実現することができる。
【００４５】
また、カバー体に連動して、搬送ローラを密着型画像読取センサから離間させること、および清掃等の後に、その離間位置から元のセット位置へ復帰させることができるため、作業性がよくなり、しかも搬送ローラのセット忘れを防止することが可能になる。
【図面の簡単な説明】
【図１】本発明の第１実施形態を説明するためのファクシミリ装置における原稿読取部を示す構成図である。
【図２】図１の原稿読取部における動作状態を示す構成図である。
【図３】本発明の第２実施形態を説明するためのファクシミリ装置における原稿読取部を示す構成図である。
【図４】本発明の第３実施形態を説明するためのファクシミリ装置における原稿読取部を示す構成図である。
【図５】図４の原稿読取部における動作状態を示す構成図である。
【図６】本発明の第４実施形態を説明するためのファクシミリ装置における原稿読取部を示す平面図である。
【図７】図６の原稿読取部における動作状態を示す平面図である。
【図８】本発明の第５実施形態を説明するためのファクシミリ装置における原稿読取部の要部を示す平面図である。
【図９】従来のファクシミリ装置における原稿読取部の一例を示す構成図である。
【図１０】図９の原稿読取部における動作状態を示す構成図である。
【符号の説明】
４…密着型画像読取センサ、  ５…カバー体、  ７…搬送ローラ、  １０…駆動ギヤ、  １１…モータ、  １３…伝達ギヤ、  １４…中間ギヤ、  １５…駆動回路、  １６…モータ制御部、  ２０，２１…支軸、  ２２…支持アーム、  ２５…連結レバー、  ３０…回転軸、  ３１…クラッチ、  ３１ａ，３１ｂ…クラッチ板、  ３２…軸受、  ３４ａ…クラッチ解除用リブ、  ３８…スプリングクラッチ。
【図１】
0003544790.tif 000002
【図２】
0003544790.tif 000003
【図３】
0003544790.tif 000004
【図４】
0003544790.tif 000005
【図５】
0003544790.tif 000006
【図６】
0003544790.tif 000007
【図７】
0003544790.tif 000008
【図８】
0003544790.tif 000009
【図９】
0003544790.tif 000010
【図１０】
0003544790.tif 000011